(57)【特許請求の範囲】
【請求項１】
２軸延伸ブロー成形され、円筒状の胴部(4)の上端にテーパー筒状の肩部(3)を介して口筒部(2)を起立設した合成樹脂製丸形壜体であり、
前記肩部(3)の下端部から胴部(4)の上端部にかけての領域に周壁を段差状に拡径、若しくは縮径する幅(Wp)が３ｍｍ以上の傾斜周壁(11)を配設し、
該傾斜周壁(11)と、該傾斜周壁(11)の縮径側周縁(11b)に連結する縮径周壁部(4b)との開き角度(Ka)を、座屈変形前の状態において４５〜１３５°の範囲とし、

該傾斜周壁(11)の拡径側周縁(11a)から該傾斜周壁(11)の傾斜面への角度で表した該傾斜周壁(11)の傾斜角度(Kb)を、座屈変形前の状態において０〜９０°の範囲とし、

壜体の中心軸(Ax)方向に作用する押圧力による、前記傾斜周壁(11)を起点とした周壁の全周に亘る反転状の座屈変形により、壜体の高さが短縮し減容変形が達成される構成とした合成樹脂製丸形壜体。
【請求項２】
傾斜周壁(11)の縮径側周縁(11b)に連結する周壁である縮径周壁部(4b)を、前記縮径側周縁(11b)に向けて縮径する構成とした請求項１記載の合成樹脂製丸形壜体。
【請求項３】
胴部(4)の周壁に複数の周溝リブ(7)を形成した請求項１または２記載の合成樹脂製丸形壜体。
【発明の詳細な説明】
【技術分野】
【０００１】
本発明は高さ方向の収縮変形により、減圧状態における減容変形や軸方向の荷重による座屈変形を緩和、吸収する機能を発揮するようにした合成樹脂製丸形壜体に関する。
【背景技術】
【０００２】
従来から、ポリエチレンテレフタレート（以下ＰＥＴと記す。）樹脂製の二軸延伸ブロー成形壜体、所謂ＰＥＴボトルは、優れた透明性、機械強度、耐熱性、ガスバリア性等を有し、各種飲料用の容器として広く利用されている。また従来から、殺菌を必要とするたとえば果汁飲料、お茶等の内容液のＰＥＴボトルへの充填方法として、所謂、高温充填と呼ばれる方法があり、９０℃前後の温度で内容液を壜体に充填し、キャップをして密封後、冷却するものであり、壜体内がかなりの減圧状態となる。
【０００３】
このため、上記のような高温充填を伴う用途については、たとえば特許文献１中に記載があるように胴部に意図的に減圧により陥没状の変形が容易な領域である減圧吸収パネルを配設して、減圧時にこの減圧吸収パネルをさらに陥没状に変形させることにより、良好な外観を保持すると共に、減圧吸収パネル以外の部分で壜体としての剛性を確保できるようにし、壜体の搬送ライン、積重保管、自動販売機内等におけるトラブルがないようにする、所謂、減圧吸収機能を発揮するようにしている。
【０００４】
一方、特許文献２にあるように胴部に減圧吸収パネルを形成することなく、底部の底面壁の陥没状の変形により、減圧吸収機能を発揮するようにした合成樹脂製壜体も使用されている。
【先行技術文献】
【特許文献】
【０００５】
【特許文献１】特開平０８−０４８３２２号公報
【特許文献２】特開２００７−２６９３９２号公報
【発明の概要】
【発明が解決しようとする課題】
【０００６】
ここで、減圧吸収パネルを配設した壜体では、減圧吸収パネル自体が撓み変形し易い部分であるので、胴部の剛性が低い、あるいは座屈強度が低い等の問題を有する。特に、１８０ｍｌ、２８０ｍｌ、５００ｍｌ等の小型の壜体では、胴部に減圧吸収パネルを形成するにしてもその面積が限定されるので、胴部の剛性や座屈強度と減圧吸収機能を十分に両立させることは困難である。そして、省資源や低コスト化の要請に沿って、壜体のさらなる薄肉化を進める必要がある場合には、この問題はさらに困難なものとなる。
【０００７】
一方、底部の底面壁の陥没状の変形により、減圧吸収機能を発揮するようにした合成樹脂製壜体では、減圧吸収パネルによる剛性や座屈強度の低下は避けることができるが、ここでも壜体の薄肉化が進展すると、底面壁における陥没変形が全周に亘って均一に進行することなく凹凸状に不均一に進行し、さらには底部の周縁部に配設される接地部にまで変形が進展し、外観が損なわれ、さらには壜体の自立性を損なう恐れがある。
【０００８】
そこで本発明は、上記した壜体の薄肉化への要請を背景とした減圧吸収機能と剛性や座屈強度の両立に係る問題を解消することを技術的課題とするものである。
【課題を解決するための手段】
【０００９】
上記課題を解決するための手段のうち、本発明の主たる構成は、
２軸延伸ブロー成形され、円筒状の胴部の上端にテーパー筒状の肩部を介して口筒部を起立設した合成樹脂製丸形壜体において、
肩部の下端部から胴部の上端部にかけての領域に周壁を段差状に拡径、若しくは縮径する幅が３ｍｍ以上の傾斜周壁を配設し、
該傾斜周壁と、該傾斜周壁の縮径側周縁に連結する縮径周壁部との開き角度を、座屈変形前の状態において４５〜１３５°の範囲とし、

該傾斜周壁の拡径側周縁から該傾斜周壁の傾斜面への角度で表した該傾斜周壁の傾斜角度を、座屈変形前の状態において０〜９０°の範囲とし、

壜体の中心軸方向に作用する押圧力による、傾斜周壁を起点とした周壁の全周に亘る反転状の座屈変形により、壜体の高さが短縮し減容変形が達成される構成とする、と云うものである。
【００１０】
上記構成の基本的な技術思想は、周壁に予め陥没変形しやすい減圧吸収パネルを配設して減圧吸収機能を発揮させたのと同様に、周壁に予め壜体に中心軸方向に作用する押圧力による座屈変形の起点となる傾斜周壁を配設し、周壁の座屈変形を予め決めた領域で、外観を損なうことなくスムーズかつ均一に、また一定の変形態様で進行させて、謂わば、座屈変形吸収機能を発揮させようとした点にある。
【００１１】
そして、上記構成によれば、壜体の中心軸方向に沿って押圧力が作用すると、傾斜周壁が起点となり、傾斜周壁とこの傾斜周壁の両端部に連結する周壁との連結部を基部とした、周壁の反転状の座屈変形が進行し、この座屈変形により傾斜周壁の拡径側周縁に連結する周壁部（以下、拡径周壁部とする。）と、縮径側周縁に連結する周壁部（以下、縮径周壁部とする。）が、壜体の中心軸に沿って近接するように、さらには縮径周壁部の端部が拡径周壁部の端部に嵌入するように相対的に移動変位し、これにより壜体の高さが短縮し、壜体の減容変形を、外観を損なうことなく達成することができる。
【００１２】
また、座屈変形の起点となる傾斜周壁を肩部の下端部から胴部の上端部かけての領域に配設することにより、比較的厚肉に形成され、テーパー筒状である肩部の中心軸方向の押圧力に対する高い形状保持性を利用して、上記した座屈変形をスムーズにかつ均一に進行させることが可能となる。
また、本願の壜体の形状は傾斜周壁を配設するため通常の単純な直線円筒状の胴部を有する壜体に比較し、少し変わった印象を与えるものであるが、傾斜周壁をテーパー筒状の肩部の近傍に配設することにより、外観的に調和のあるデザインとすることができる。さらに座屈変形が進行した際にも、外観形状に係る違和感を緩和することができる。
【００１３】
そして、高温充填工程を要する用途等、壜体の内部が減圧状態となる用途では、上記した反転状の座屈変形に伴う壜体の減容変形により減圧吸収機能を発揮させることができる。
ここで、本発明の壜体では胴部に減圧吸収パネルを配設して、２種類の減圧吸収機構を併用することも可能であり、これにより十分に減圧吸収機能を発揮させることができ、小型で薄肉化すると云った厳しい条件下であっても、減圧吸収機能と剛性や座屈強度を高いレベルで両立させることが可能となる。
【００１４】
また、内容液を充填した壜体を箱詰めし、この箱を積重して保管する場合、さらには箱を積重した状態でトラック等で運搬する場合等、壜体の中心軸方向に大きな押圧状の荷重が作用する際にも、上記した傾斜周壁を起点とする周壁の反転状の座屈変形により、周壁の一部が歪に座屈変形してしまい外観を損ねるようなことを効果的に防ぐことができる。
さらに、座屈変形した状態では、壜体の高さ方向の短縮による減容変形に伴い、ヘッドスペースが減少し壜体内部が加圧状態となるので、座屈強度が向上し、苛酷な状態でも壜体の変形を防ぐことができる。
【００１６】
傾斜周壁を起点とした反転状の座屈変形では、周壁が反転する際、傾斜周壁は径方向に撓み変形する必要があり、幅が狭いとこの撓み変形が困難となり座屈変形がスムーズに進行しないが、上記構成により傾斜周壁の幅を３ｍｍ以上とすることにより、壜体内部の減圧状態による押圧力程度の作用であっても、撓み変形をスムーズに進行させて、座屈変形をスムーズに進行させることが可能となる。
【００１９】
傾斜周壁と縮径周壁部との開き角度や、傾斜周壁の傾斜角度は、傾斜周壁を起点とした反転状の座屈変形のし易さの他にも、壜体の成形性、壜体の外観的なデザイン性等も考慮して決めることができるものであるが、傾斜周壁と縮径周壁部との開き角度については上記構成にあるように４５〜１３５°の範囲とすることが好ましく、また傾斜周壁の傾斜角度については０〜９０°の範囲とするのが好ましい。
【００２０】
本発明のさらに他の構成は、上記主たる構成において、傾斜周壁の縮径側周縁に連結する周壁である縮径周壁部を、縮径側周縁に向けて縮径する構成とする、と云うものである。
【００２１】
上記構成により、縮径周壁部を縮径側周縁に向けて縮径する構成とすることにより、この縮径周壁部に作用する押圧力の作用方向を壜体の中心軸方向に沿う方向から外れないようにすることができ、傾斜周壁を起点とした反転状の座屈変形に伴う、縮径周壁部と拡径周壁部の相対的な移動変位を中心軸に沿ってよりスムーズに進行させることができる。
【００２２】
本発明のさらに他の構成は、上記主たる構成において、胴部の周壁に複数の周溝リブを形成する、と云うものである。
【００２３】
上記構成により、胴部に複数の周溝リブを形成することにより、胴部の面剛性を大きくして高い形状保持性を付与すると共に、減圧時には壜体の高さ方向の短縮により減圧吸収機能を発揮させることができる丸形壜体を提供することができる。
【発明の効果】
【００２４】
本発明は、上記した構成となっているので、以下に示す効果を奏する。
本発明の主たる構成は、周壁に予め、壜体に中心軸方向に作用する押圧力による座屈変形の起点となる傾斜周壁を配設し、周壁の座屈変形を予め決めた領域で、外観を損なうことなくスムーズかつ均一に、また一定の変形態様で進行させて、謂わば、座屈変形吸収機能を発揮させようとしたものであり、傾斜周壁を起点とする反転状の座屈変形に伴う壜体の減容変形により、内部が減圧状態となる用途では、小型で薄肉の壜体であっても、壜体の剛性や座屈強度と減圧吸収機能を共に高いレベルで発揮させることができる。
【００２５】
また内容液の充填した壜体を箱詰めし、この箱を積重して運搬するような苛酷な荷重が作用する用途であっても、減容変形によりヘッドスペースが減少し壜体内部が加圧状態となることも相俟って、上記座屈変形吸収機能により周壁の一部が歪に座屈変形してしまい外観を損ねるようなことを効果的に防ぐことができ、壜体の周壁の薄肉化をさらに進めることが可能となる。
【図面の簡単な説明】
【００２６】
【図１】本発明の壜体の第１実施例を示す正面図である。
【図２】図１の壜体の傾斜周壁近傍の周壁の縦断面図である。
【図３】図１の壜体の変形状態を示す正面図である。
【図４】図１の壜体の他の変形状態を示す正面図である。
【図５】（ａ）は図３の変形状態、（ｂ）は図４の変形状態における周壁の変形態様を図２と同様の縦断面図で示した説明図である。
【図６】本発明の壜体の第２実施例を示す正面図である。
【図７】図６の壜体の傾斜周壁近傍の周壁の縦断面図である。
【図８】図６の壜体の変形状態を示す正面図である。
【図９】図６の壜体の他の変形状態を示す正面図である。
【図１０】（ａ）は図８の変形状態、（ｂ）は図９の変形状態における周壁の変形態様を図７と同様の縦断面図で示した説明図である。
【発明を実施するための形態】
【００２７】
以下、本発明の実施の形態を実施例に沿って図面を参照しながら説明する。
図１、２は本発明による合成樹脂製壜体の第１実施例を示すもので、図１は正面図、図２は傾斜周壁１１近傍の周壁の縦断面図である。
この壜体１は口筒部２、テーパー筒状の肩部３、円筒状の胴部４、底部５を有し、全高さが１００ｍｍ、最大径が６５ｍｍ、容量が１８０ｍｌのＰＥＴ樹脂製の２軸延伸ブロー成形品である。
なお、この種の形状の壜体では肩部３と胴部４の区分けは曖昧となるが、ここでは図１の右側に示したように肩部３と胴部４を区分けして以下説明する。
【００２８】
胴部４には横方向の面剛性と座屈強度を高くする手段の一つとして４ケの周溝リブ７を形成し、胴部４を高い形状保形性を有するものとしている。勿論、面剛性と座屈強度を高くするための手段は周溝リブ７に限定されるものではない。
【００２９】
そして、この胴部４の上端部には周壁を段差状に下方に向かって拡径する傾斜周壁１１が配設されており、この傾斜周壁１１の上端部に相当する縮径側周縁１１ｂには縮径周壁部４ｂが連設し、下端部に相当する拡径側周縁１１ａには拡径周壁部４ａが連設している。
本実施例では、傾斜周壁１１の幅Ｗｐは６．５ｍｍ、傾斜周壁１１と縮径周壁部４ｂの開き角度Ｋａは１００°、拡径側周縁１１ａから傾斜周壁１１の傾斜面への角度で表した傾斜周壁１１の傾斜角度Ｋｂは２５°としている。
また、縮径周壁部４ｂは縮径側周縁１１ｂに向かって緩やかに縮径するように形成している。
【００３０】
図３、４は壜体１に中心軸方向Ａｘに沿って押圧力が作用した際の壜体の変形状態を示すものである。この中、図３は高温充填法で９０℃前後の水を主体とした内容液を充填後、キャップ２１でシールし、室温に戻り壜体内部が減圧状態となった際の減容変形した状態を示すもので、ここでの減容変形は、傾斜周壁１１を介して上下に位置する縮径周壁部４ｂと拡径周壁部４ａが中心軸Ａｘに沿って相互に近接するように移動変位することにより、壜体１の高さが短縮し達成される。変形部分がテーパー筒状の肩部３の近傍にあることも相俟って、壜体１全体として外観が損なわれることもなく、小型の壜体に拘わらず減圧吸収機能が十分に達成される。
【００３１】
ここで、減圧状態では壜体１の周壁全体に、周壁に垂直な方向に外力が作用するが、胴部４には面剛性を強化するための周溝リブ７を配設した構成のため、外力の横方向成分の力による円筒状の周壁の陥没状の変形は進行せず、外力の縦方向成分の力、すなわち中心軸Ａｘ方向に作用する押圧力により、壜体１の高さ方向の短縮変形が優先的に進行し減容変形が達成される。
【００３２】
図４は、内容液を充填した壜体を箱詰めし、この箱を積重して保管する場合、さらには箱を積重した状態でトラックで運搬する場合等、壜体の中心軸方向にさらに苛酷な押圧力が作用するケースを想定し、壜体１に内容液を充填後キャップ２１でシールし、図中の白抜き矢印方向に大きな荷重を作用させた際の変形態様を示すものである。
【００３３】
このような苛酷な条件では、通常の胴部が直線円筒状の壜体では周壁の一部で座屈変形が発生してしまうが、本実施例の壜体１では前述した図３の変形状態から、縮径周壁部４ｂと拡径周壁部４ａが中心軸Ａｘに沿って相互に近接するような移動変位がさらに進行し、縮径周壁部４ｂの下端部が拡径周壁部４ａの上端部に嵌入するように変位した状態となる。
そして、このような変形状態であっても、壜体１全体として外観が損なわれることもなく、謂わば、座屈変形吸収機能とも云える機能が発揮される。
【００３４】
さらに、座屈変形した状態では、壜体１の高さ方向の短縮による減容変形に伴い、ヘッドスペースが減少し壜体１内部が加圧状態となるので、座屈強度が向上し、さらに苛酷な状態でも壜体１の変形を防ぐことができる。
なお、本実施例の形状は、通常の直線円筒状の胴部を有する壜体に比較し、少し変わった印象を与えるものであるが、傾斜周壁１１をテーパー筒状の肩部３の近傍に配設することにより、外観的に調和のあるデザインとすることができ、図３、４に示される変形後の形状であっても外観形状に係る違和感を緩和することができるものとしている。
【００３５】
図５は、図３、４を参照して説明した変形状態での周壁の変形態様を図２と同様の縦断面図で示した説明図であり、図５（ａ）は図３の変形状態、（ｂ）は図４の変形状態に相当し、中心軸Ａｘ方向の押圧力による変形は、変形前の図２の状態から、図５（ａ）の状態へ、さらに図５（ｂ）へと進行する。
そしてこれらの図から分かるように、傾斜周壁１１と、上部に連結する縮径周壁部４ｂあるいは下部に連結する拡径周壁部４ａとの連結部に相当する縮径側周縁１１ｂと拡径側周縁１１ａを基部とした、縮径周壁部４ｂ、傾斜周壁１１、拡径周壁部４ａから構成される周壁部分の反転状の座屈変形により、縮径周壁部４ｂが縮径側周縁１１ｂに向かって緩やかに縮径していることも相俟って、前述した縮径周壁部４ｂと拡径周壁部４ａが中心軸Ａｘに沿って相互に近接するような、さらには縮径周壁部４ｂの下端部が拡径周壁部４ａの上端部に嵌入するような移動変位をスムーズに進行させることができる。
【００３６】
ここで、傾斜周壁１１は反転状の座屈変形の、謂わば、起点となる部位であるが、座屈変形の過程で傾斜周壁１１は例えば図５（ａ）に示されるように湾曲状に変形、あるいはＳ字状に撓み変形するため、この種の撓み変形がスムーズに達成できるように、傾斜周壁１１幅Ｗｐはその点を考慮して設定する必要がある。そして、減圧時の比較的小さな押圧力を考慮すると、この幅Ｗｐは３ｍｍ以上とするのが好ましい。また、開き角度Ｋａや傾斜角度Ｋｂも座屈変形のし易さを決める重要な要素である。
【００３７】
次に、図６、７は、本発明による合成樹脂製壜体の第２実施例を示すもので、図６は正面図、図７は傾斜周壁１１近傍の周壁の縦断面図である。
この壜体１は図１に示される第１実施例の壜体と同様に口筒部２、テーパー筒状の肩部３、円筒状の胴部４、底部５を有し、全高さが１００ｍｍ、最大径が６５ｍｍ、容量が１８０ｍｌのＰＥＴ樹脂製の２軸延伸ブロー成形品である。
なお、ここでも図６の右側に示したように肩部３と胴部４を区分けして以下説明する。
【００３８】
本実施例の壜体の第２実施例の壜体に対する主たる特徴は、下方に向かって縮径する傾斜周壁１１を配設した点にあり、この傾斜周壁１１の上端部に相当する拡径側周縁１１ａには拡径周壁部４ａが連設し、下端部に相当する縮径側周縁１１ｂには縮径周壁部４ｂが連設している。
なお、本実施例では、傾斜周壁１１の幅Ｗｐは６．５ｍｍ、傾斜周壁１１と縮径周壁部４ｂの開き角度Ｋａは９０°、拡径側周縁１１ａから傾斜周壁１１の傾斜面への角度で表した傾斜周壁１１の傾斜角度Ｋｂは２５°としている。
また、縮径周壁部４ｂは縮径側周縁１１ｂに向かって縮径するように形成されている。
また、縮径側周縁１１ｂより下方で、胴部４はかなりの高さ範囲で縮径周壁部４ｂに連続するようにテーパー状に形成されており、４ケの周溝リブ７が配設されている。
【００３９】
図８、９は壜体１に中心軸方向Ａｘに押圧力が作用した際の壜体の変形状態を示すもので、これらは第１実施例の壜体１の図３、４に示した変形状態に相当し、図８は壜体１内部が減圧状態となった際の減容変形した状態を示し、図９は壜体１に内容液を充填後キャップ２１でシールし、図中の白抜き矢印方向に大きな荷重を作用した際の変形態様を示すものである。
【００４０】
また、図１０は、図８、９の変形状態での周壁の変形態様を図７と同様の縦断面図で示した説明図であり、図１０（ａ）は図８の変形状態、図１０（ｂ）は図９の変形状態に相当し、中心軸Ａｘ方向の押圧力による変形は、変形前の図７の状態から、図１０（ａ）の状態へ、さらに図１０（ｂ）の状態へと進行する。
【００４１】
そして、本実施例の下方に縮径する傾斜周壁１１を配設した壜体１では、傾斜周壁１１と、上部に連結する拡径周壁部４ａあるいは下部に連結する縮径周壁部４ｂとの連結部に相当する拡径側周縁１１ａと縮径側周縁１１ｂを基部とした、拡径周壁部４ａ、傾斜周壁１１、縮径周壁部４ｂから構成される周壁部分の反転状の座屈変形により、拡径周壁部４ａと縮径周壁部４ｂとが中心軸Ａｘに沿って相互に近接するような、さらには縮径周壁部４ｂの上端部が拡径周壁部４ａの下端部に嵌入するような移動変位をスムーズに進行させることができ、この移動変位により第１実施例の壜体と同様に減圧吸収機能や座屈変形吸収機能を十分に発揮させることができる。
【００４２】
以上、実施例に沿って本発明の構成とその作用効果について説明したが、本発明の実施の形態は上記実施例に限定されるものではない。
上記実施例は１８０ｍｌの小型の壜体についてのものであったが、本願の減容変形機構はさらに小型、あるいは大型の壜体についても適用することができる。
【００４３】
また、傾斜周壁の幅や配設角度を含めた形状は、幅Ｗｐを３ｍｍ以上とする、開き角度Ｋａを４５〜１３５°の範囲とする、傾斜角度Ｋｂを０〜９０°の範囲とする、と云う範疇のなかで、座屈変形の起点として作用効果の他に、壜体の成形性、壜体の外観的なデザイン性等も考慮して決めることができるものである。
また、上記実施例では胴部に周溝を複数配設し、横方向の面剛性や座屈強度を大きくした壜体としたが、胴部に減圧吸収パネルを配設した構成とすることにより、本願の傾斜周壁を起点とした減圧吸収機構と併用し、十分に減圧吸収機能を発揮させることができ、小型で薄肉化すると云った厳しい条件下であっても、減圧吸収機能と剛性や座屈強度を高いレベルで両立させることが可能となる。
【産業上の利用可能性】
【００４４】
本発明の合成樹脂製壜体は、周壁に予め座屈変形の起点となる傾斜周壁を配設し、周壁の座屈変形を予め決めた領域で、外観を損なうことなくスムーズかつ均一に、また一定の変形態様で進行させて減容変形を達成できるものであり、高温充填を必要とする用途、運搬等で苛酷な荷重の作用が予想される用途での幅広い利用展開が期待される。
【符号の説明】
【００４５】
１  ；壜体
２  ；口筒部
３  ；肩部
４  ；胴部
４ａ；拡径周壁部
４ｂ；縮径周壁部
５  ；底部
７  ；周溝リブ
１１；傾斜周壁
１１ａ；拡径側周縁
１１ｂ；縮径側周縁
２１；キャップ
Ａｘ；中心軸
Ｋａ；開き角度
Ｋｂ；傾斜角度
Ｗｐ；幅
【図１】
0005692631.tif 000002
【図２】
0005692631.tif 000003
【図３】
0005692631.tif 000004
【図４】
0005692631.tif 000005
【図５】
0005692631.tif 000006
【図６】
0005692631.tif 000007
【図７】
0005692631.tif 000008
【図８】
0005692631.tif 000009
【図９】
0005692631.tif 000010
【図１０】
0005692631.tif 000011